(57)【要約】【課題】本発明は、表データを表示する表示制御プログラムおよび記録媒体に関し、複数表示情報テーブルおよびソートインデックスを設けて、元データを任意の位置に表示および任意項目でソートした結果を表示、およびセルを分割、統合して表示し、画面上で同時に見ることができるように複数項目を任意セルに表示すると共に任意項目のソート結果を表示、セル内の項目を分割して他のセルや新たなセルに表示、およびセルを削除して当該セル内の項目を他の既存のセル内に統合したりすることを目的とする。【解決手段】表の１つあるいは複数の桁のデータをいずれの桁に表示するかを設定する複数表示情報テーブルを作成する手段と、分割手段および統合手段のいずれかの手段と、表の桁のデータを取り出して複数表示情報テーブルを参照して設定されている桁に表示する手段とから構成する。【選択図】  図１
2007058867.tif 000002
【特許請求の範囲】
【請求項１】
表データを表示する表示制御プログラムを記録したコンピュータ読取可能な記録媒体において、
表の１つあるいは複数の桁のデータをいずれの桁に表示するかを設定する複数表示情報テーブルを作成する手段と、
画面上に表示した項目を指定した分割の指定に対応して、上記複数表示情報テーブルから当該指定された項目に対応する桁中の指定された桁情報を削除および当該削除した桁情報を指定された位置に新たに作成して設定する分割手段、および画面上に表示した項目を指定した統合の指定に対応して、上記複数表示情報テーブルから当該指定された項目に対応する桁中の指定された桁情報を削除および当該削除した桁情報を指定された桁位置に追加して設定する統合手段のいずれかの手段と、
上記表の桁のデータを取り出して上記複数表示情報テーブルを参照して設定されている桁に表示する手段と
して機能させるプログラムを記録したコンピュータ読取可能な記録媒体。
【請求項２】
表データを表示する表示制御プログラムにおいて、
表の１つあるいは複数の桁のデータをいずれの桁に表示するかを設定する複数表示情報テーブルを作成する手段と、
画面上に表示した項目を指定した分割の指定に対応して、上記複数表示情報テーブルから当該指定された項目に対応する桁中の指定された桁情報を削除および当該削除した桁情報を指定された位置に新たに作成して設定する分割手段、および画面上に表示した項目を指定した統合の指定に対応して、上記複数表示情報テーブルから当該指定された項目に対応する桁中の指定された桁情報を削除および当該削除した桁情報を指定された桁位置に追加して設定する統合手段のいずれかの手段と、
上記表の桁のデータを取り出して上記複数表示情報テーブルを参照して設定されている桁に表示する手段と
してコンピュータに機能させるための表示制御プログラム。
【発明の詳細な説明】
【技術分野】
【０００１】
本発明は、表データを表示する表示制御プログラムおよび記録媒体に関するものである。
【背景技術】
【０００２】
従来、表を画面上に表示する場合、横方向のセルの桁数が多いと、画面の右端からはみ出てしまい、スクロールして画面内に移動させて表示させるようにしいた。
【発明の開示】
【発明が解決しようとする課題】
【０００３】
上述したように、従来の表示方法では、同時に見ることができる桁数が決まってしまい、当該桁数を越えた表の場合には、スクロールして該当セル内のデータを表示させる必要があり、セル内のデータを相互に比較し難いという問題があった。
【０００４】
また、１つのセル内に複数のデータを表示して同時に見ることができる内容を多くした場合には、セル内の任意のデータを指定してソートできないという問題が発生する。
【０００５】
本発明は、これらの問題を解決するため、複数表示情報テーブルおよびソートインデックスを設けて、元データを任意の位置に表示および任意項目でソートした結果を表示、およびセルを分割、統合して表示し、画面上で同時に見ることができるように複数項目を任意セルに表示すると共に任意項目のソート結果を表示、セル内の項目を分割して他のセルや新たなセルに表示、およびセルを削除して当該セル内の項目を他の既存のセル内に統合したりすることを目的としている。
【課題を解決するための手段】
【０００６】
図１を参照して課題を解決するための手段を説明する。
図１において、処理装置１は、プログラムに従い各種処理を実行するものであって、ここでは、テーブル作成手段２、表示手段３、ソート手段４、分割手段５、および統合手段６などから構成されるものである。
【０００７】
テーブル作成手段２は、表の１つあるいは複数の桁のデータをいずれの桁に表示するかを設定する複数表示情報テーブル１４を作成するものである。
【０００８】
表示手段３は、表の桁のデータを取り出して複数表示情報テーブル１４を参照して設定されている桁に表示したり、ソートインデックス１５に設定されている行にデータを表示したりなどするものである。
【０００９】
ソート手段４は、表示された画面上で任意の項目が選択されたときに、選択されたデータの項目をもとに表の該当項目のデータをソートするものである。
【００１０】
分割手段５は、複数表示情報テーブル１４から指定された項目に対応する桁中の指定された桁情報を削除および削除した桁情報を指定された位置に新たに作成して設定するものである。
【００１１】
統合手段６は、複数表示情報テーブル１４から指定された項目に対応する桁中の指定された桁情報を削除および削除した桁情報を指定された桁位置に追加するものである。
【００１２】
元データ１２は、表示する前の表の元のデータである。
複数表示情報テーブル１４は、表の１つあるいは複数の桁のデータをいずれの桁に表示するかを設定するテーブルである。
【００１３】
ソートインデックス１５は、表の行のデータをいずれの行に表示するかを設定するものである。
【００１４】
次に、動作を説明する。
テーブル作成手段２が表の１つあるいは複数の桁のデータをいずれの桁に表示するかを複数表示情報テーブル１４に設定して作成し、表示手段３が表の桁のデータを取り出して複数表示情報テーブル１４を参照して設定されている桁に表示するようにしている。
【００１５】
この際、ソート手段４が表の行のデータをいずれの行に表示するかを設定してソートインデックス１５を作成し、表示手段３が表の行のデータを取り出してソートインデックス１５を参照して設定されている行に表示するようにしている。
【００１６】
また、ソート手段４が表示された画面上で任意の項目が選択されたときに、選択されたデータの項目をもとに表の該当項目のデータをソートし、ソートした後のデータの順番にソートインデックス１５に設定し、設定した後のソートインデックス１５をもとに表示するようにしている。
【００１７】
また、分割手段５が画面上に表示した項目を指定した分割の指定に対応して、複数表示情報テーブル１４から指定された項目に対応する桁中の指定された桁情報を削除および削除した桁情報を指定された位置に新たに作成して設定し、表示手段３が表の桁のデータを取り出して複数表情報テーブル１４を参照して設定されている桁に表示するようにしている。
【００１８】
また、統合手段６が画面上に表示した項目を指定した統合の指定に対応して、複数表示情報テーブル１４から指定された項目に対応する桁中の指定された桁情報を削除および削除した桁情報を指定された桁位置に追加して設定し、表示手段３が表の桁のデータを取り出して複数表情報テーブル１４を参照して設定されている桁に表示するようにしている。
【００１９】
従って、複数表示情報テーブル１４およびソートインデックス１５を設けて、元データ１２を任意の位置に表示および任意項目でソートした結果を表示したり、セルを分割、統合して表示したりすることにより、画面上で同時に見ることができるように複数項目を任意セルに表示すると共に任意項目のソート結果を表示したり、セル内の項目を分割して他のセルや新たなセルに表示したり、セルを削除して当該セル内の項目を他の既存のセル内に統合したりすることが可能となる。
【発明の効果】
【００２０】
本発明は、複数表示情報テーブル１４およびソートインデックス１５を設けて、元データ１２を任意の位置に表示および任意項目でソートした結果などを表示する構成を採用しているため、画面上で同時に見ることができるように複数項目を任意セルに表示すると共に任意項目のソート結果を表示したり、セル内の項目を分割して他のセルや新たなセルに表示したり、セルを削除して当該セル内の項目を他の既存のセル内に統合したりすることが可能となる。
【発明を実施するための最良の形態】
【００２１】
本発明は、複数表示情報テーブル１４およびソートインデックス１５を設けて、元データ１２を任意の位置に表示および任意項目でソートした結果などを表示し、画面上で同時に見ることができるように複数項目を任意セルに表示すると共に任意項目のソート結果を表示したり、セル内の項目を分割して他のセルや新たなセルに表示したり、セルを削除して当該セル内の項目を他の既存のセル内に統合したりすることを実現した。
【実施例１】
【００２２】
次に、図１から図６を用いて本発明の実施の形態および動作を順次詳細に説明する。
図１は、本発明のシステム構成図を示す。
【００２３】
図１において、処理装置１は、図示外の記録媒体から主記憶（メモリ１１）にローディングしたプログラムに従い各種処理を実行するものであって、ここでは、テーブル作成手段２、表示手段３、ソート手段４、分割手段５、および統合手段６などから構成されるものである。
【００２４】
テーブル作成手段２は、元の表の１つあるいは複数の桁のデータをいずれの桁に表示するかを設定する複数表示情報テーブル１４を作成するものである。
【００２５】
表示手段３は、表の桁のデータを取り出して複数表示情報テーブル１４を参照して設定されている桁に表示したり、ソートインデックス１５に設定されている行にデータを表示したりなどするものである。
【００２６】
ソート手段４は、表示された画面上で任意の項目が選択されたときに、選択された項目（あるいはデータ）をもとに表の該当項目のデータをソートするものである（図５を用いて後述する）。
【００２７】
分割手段５は、複数表示情報テーブル１４から指定された項目に対応する桁中の指定された桁情報を削除および削除した桁情報を指定された位置に新たに作成して設定したりなどするものである（図６を用いて後述する）。
【００２８】
統合手段６は、複数表示情報テーブル１４から指定された項目に対応する桁中の指定された桁情報を削除および削除した桁情報を指定された桁位置に追加したりなどするものである（図６を用いて後述する）。
【００２９】
メモリ１１は、データやプログラムを格納したり、読み出したりなどするものであって、ここでは、元データ１２、ヘッダ情報１３、複数表示情報テーブル１４、ソートインデックス１５、表示バッファ１６などを設けるものである。
【００３０】
元データ１２は、表示する前の表の元のデータである。
ヘッダ情報１３は、表示する前の表の元のデータのヘッダ情報（ここでは、桁情報）である。
【００３１】
複数表示情報テーブル１４は、元データ１２の表の１つあるいは複数の桁のデータをいずれの桁に表示するかを設定するテーブルである。
【００３２】
ソートインデックス１５は、元データ１２の表の行のデータをいずれの行に表示するかを設定するものである。
【００３３】
表示バッファ１６は、画面上に表示するイメージでデータを設定したものであって、当該設定されたイメージに示すように画面上に表示手段３が表示するためのものである。
【００３４】
次に、図１の構成について概念を説明する。
○１（丸付き数字１を表す、以下同様）のテーブル作成は、テーブル作成手段２が複数表示情報テーブル１４に、元データ１２の表の桁を、画面上のいずれの桁に表示するかを設定して当該複数表示情報テーブル１４を作成する。
【００３５】
○２の表示は、表示手段３がソートインデックス１５を参照して元データ１２の表の設定されている行のデータを取り出し、取り出した行のデータについて、複数表示情報テーブル１４を参照して該当桁位置に設定することを順に繰り返し、図示の表示バッファ１６に示すように設定する。そして、当該設定された表示バッファ１６に設定されたように画面上に表示するようにしている。
【００３６】
この際、画面（表示バッファ１６と同じ）上に表示した項目を指定した分割の指定に対応して、複数表示情報テーブル１４から指定された項目に対応する桁中の指定された桁情報を削除および削除した桁情報を指定された位置に新たに作成して設定し、表の桁のデータを取り出して複数表情報テーブル１４を参照して設定されている桁に表示するようにしている。
【００３７】
また、画面（表示バッファ１６と同じ）上に表示した項目を指定した統合の指定に対応して、複数表示情報テーブル１４から指定された項目に対応する桁中の指定された桁情報を削除および削除した桁情報を指定された既存の桁位置に追加して設定し、表の桁のデータを取り出して複数表情報テーブル１４を参照して設定されている桁に表示するようにしている。
【００３８】
以下順次詳細に説明する。
図２は、本発明の動作説明フローチャート（設定）を示す。
【００３９】
図２において、Ｓ１は、ヘッダ部（名称、幅、配置）の設定を行なう。これは、例えば図１のヘッ
ダ情報１３に示すように、元データ１２のヘッダ情報１３として、
・名称：
・幅：
・配置：
をそれぞれ設定、例えば名称「Ａ」、幅「２０ドット」、配置「右詰め」（セルの幅２０ドット内でデータを右詰め（他に、左詰め、中央がある）に表示）とそれぞれ設定する。
【００４０】
Ｓ２は、ヘッダ部の行数の初期設定を行なう。各桁のセル内に表示する行数を設定、例えば表示バッファ１６の最上段の２桁目のセルは、第１行に名称「Ｂ」，第２行に名称「Ｃ」と表示するときは２行と設定する。
【００４１】
Ｓ３は、行、桁で表示データを設定する。これは、図１の元データ１２に示すように、行、桁で表示しようとするデータ（表示データ）を設定する。
【００４２】
Ｓ４は、１行のデータを読み込む。
Ｓ５は、桁（桁のデータ）を取り出す。
【００４３】
Ｓ６は、複数行表示のための情報を作成する。これは、Ｓ５で取り出した桁のデータを、複数表示情報テーブル１４に当該桁のセル内の１行目（あるいは２行目など）に設定する。
【００４４】
Ｓ７は、次の桁有りか判別する。ＹＥＳの場合には、Ｓ５に戻り次の桁について繰り返し、１行の全ての桁のデータについて複数表示情報テーブル１４に設定する。ＮＯの場合には、Ｓ８に進む。
【００４５】
Ｓ８は、ソートインデックスを作成する。これは、Ｓ４からＳ７で作成された１行分について、ソートインデックス１５に設定（元データ１２の行を表示バッファ１６のいずれの行に表示するかを設定）する。
【００４６】
Ｓ９は、次の行ありか判別する。ＹＥＳの場合には、Ｓ４に戻り、次の行（元データ１２の次の行）のデータを読み込み繰り返す。ＮＯの場合には、全ての行について処理を終了したので、終る。
【００４７】
以上の手順によって、図１の元データ１２について、表示バッファ１６に複数行表示するための複数表示情報テーブル１４およびソートインデックス１５（当初は元データ１２の表の行と、表示バッファ１６に設定して表示させる行とが一致する）が例えば図示のように作成されたこととなる。そして、後述する図３のフローチャートに従い、図１の複数表示情報テーブル１４およびソートインデックス１６に従い元データ１２を図１の表示バッファ１６に示すように設定し、図示外の画面上に当該表示バッファ１６に示すと同一のイメージで表示（特に、２桁目のセルの第１行に「Ｂ」、第２行に「Ｃ」、および対応する位置に該当データがそれぞれ表示）されることとなる。
【００４８】
図３は、本発明の動作説明フローチャート（表示）を示す。これは、図２、図５の（ａ）、図６の（ａ）で作成された複数表示情報テーブル１４およびソートインデックス１６に従い、桁のセル内に複数データ表示する場合のフローチャートを示す。
【００４９】
図３において、Ｓ１１は、表示するセルの行と桁を指定する。これは、画面（図１の表示バッファ１６）上に表示するセルの行と桁を指定、例えば（行、桁）とし（０．０）を指定する。
【００５０】
Ｓ１２は、ソートインデックス１５から行データを取得する。これは、Ｓ１１で指定された表示するセルの行の行データを、ソートインデックス１５を参照して元データ１２の該当する行の行データを取得する。
【００５１】
Ｓ１３は、テーブルの桁から、当該桁のセル内の行情報を取得する。これは、Ｓ１１で指定された表示するセルの桁について、複数表示情報テーブル１４を参照して当該桁のセル内に表示する元データ１２の行情報（例えば図１の複数表示情報テーブル１４の２桁目のセル内の１行目、２行目には元データ１２の１行目、２行目を表示する行情報）を取得する。
【００５２】
Ｓ１４は、実際のデータを取得する。これは、Ｓ１３で取得した行情報の実際のデータを取得、例えば上記例では、図１の元データ１２の１行目、２行目の実際のデータとして「７８９」、「ｂｅｅ」を取得する。
【００５３】
Ｓ１５は、桁のセル内の行が終わりか判別する。ＹＥＳの場合には、表示しようとする指定されたセル内の行の実際のデータが全て取得できたので、セルに表示、上記例では、セル内の１行目に「７８９」，２行目に「ｂｅｅ」をそれぞれ表示する。一方、Ｓ１５のＮＯの場合には、次のセル内の行について繰り返す。
【００５４】
以上のように、表示するセルについて繰り返すことによって、既述した図１の複数表示情報テーブル１４およびソートインデックス１５に従い、元データ１２について表示バッファ１６に示すように設定され、図示外の画面上に同一のイメージで表示されることとなる。
【００５５】
図４は、本発明の表示例を示す。図示の表示は、上段は図１のヘッダ情報１３であり、２段目以降にデータが順次表示され、０、３，４，５桁目は元データ１２の１行分、１，２，６桁目は元データ１２の２行分がそれぞれ表示されている。
【００５６】
以上のように、複数表示情報テーブル１４に設定して任意の項目について２行分を表示することにより、横方向の表の長さが短くなって１画面内に収まるように表示させることが可能となり、１画面内に表示された任意項目のデータをひと目で見て容易に比較することが可能となる。
【００５７】
図５は、本発明の動作説明図（ソート）を示す。これは、例えば図１のソートインデックス１５に示すように設定し、元データ１２と、表示バッファ１６との行の並び順が同一の状態から、画面（表示バッファ１６）上の任意項目を指定してソートして並び替えるときの手順を示す。
【００５８】
図５の（ａ）は、フローチャートを示す。
図５の（ａ）において、Ｓ２１は、ソートする項目をクリックする。これは、例えば図１の表示バッファ１６（図５の（ｂ）の表示バッファ１６）をもとに同一イメージで表示した画面上で、例えば項目Ｃにマウスカーソルを位置付けてクリックし、ソートする項目を指定する。
【００５９】
Ｓ２２は、イベント発生する。
Ｓ２３は、ソートする桁を取得する。これは、Ｓ２１でクリックして指定した例えば図１の表示バッファ１６上の項目Ｃについて、複数表示情報テーブル１４を参照して元データ１２の対応する桁（ここでは、２桁（項目Ｃ））を取得する。
【００６０】
Ｓ２４は、昇順か降順を指定する。これは、ソートが昇順か、あるいは降順のいずれと指定されたかを判別する。
【００６１】
Ｓ２５は、選択された項目でソートしてソートインデックスを作成する。これは、Ｓ２１でクリックされて指定された対応する元データ１２の桁の項目で、Ｓ２４で指定された昇順あるいは降順で元データ１２をソート、例えば上記例の項目Ｃでソートして、図１のソートインデックス１５から図５の（ｂ）のソートインデックス１５に示すように作成する。
【００６２】
以上の手順によって、画面（表示バッファ１６）上で例えば項目Ｃにマウスカーソルを位置付けてクリックおよび昇順ソートを指定すると、図１のソートインデックス１５が図５の（ｂ）のソートインデックス１５に更新される。そして、ソートされた結果の図５の（ｂ）のソートインデックス１５をもと既述した図３により図５の（ｂ）の表示バッファ１６に示すように設定されて図示外の画面上に同一イメージでソート結果が表示されることとなる。
【００６３】
図５の（ｂ）は、図１の状態で、表示バッファ１６上の項目Ｃを指定して昇順ソートした後の状態を示す。これにより、セル内に元データ１２の２行分のデータを表示しても、当該セル内の２行分のいずれの一方を選択してソートしてソート結果に従い表示することが可能となる。
【００６４】
図６は、本発明の動作説明図（分割／統合）を示す。これは、１つのセル内に表示されている項目を分割して他のセルあるいは新たなセルに表示する分割、および複数のセルに表示されている項目を１つのセルに統合してセル数を削減するときの手順を示す。
【００６５】
図６の（ａ）は、フローチャートを示す。
図６の（ａ）において、Ｓ３１は、分割か判別する。これは、セル内に表示されている項目を他のセルに分割あるいは新なセルを作成して当該セルに表示する分割か、あるいは複数セルに表示されている項目を１つのセルに統合してセル数を削減する統合のいずれかを判別する。分割の場合には、Ｓ３２に進む。統合の場合には、Ｓ３３に進む。
【００６６】
Ｓ３２は、Ｓ３１で分割と判別されたので、指定された複数表示情報を削除して新しく桁情報を追加する。これは、例えば後述する図６の（ｂ−１）の矢印で示す指定されたセル内の項目を一旦削除した後（図６の（ｂ−２））、削除した項目について新たなセルをそれぞれ作成してそれぞれ追加する（図６の（ｂ−３））。
【００６７】
Ｓ３３は、Ｓ３１で統合の判別されたので、指定された複数表示情報を削除して既にある桁情報に追加する。これは、例えば後述する図６の（ｃ−１）の矢印で示す指定されたセル内の項目を一旦削除した後（図６の（ｃ−２））、削除した項目について指定された既存のセルに追加する（図６の（ｃ−３））。
【００６８】
Ｓ３４は、複数表示情報を再生成する。これにより、分割、統合した後の複数表示情報テーブル１４が更新されることとなる。そして、既述した図３に従い、画面（表示バッファ１６）上に分割、統合後の表のデータを表示する。
【００６９】
以上によって、画面（表示バッファ１６）上で任意項目を指定して分割・統合指示すると、分割指定された項目について新たなセルを作成して当該セルに項目を表示したり、統合指定された項目のセルを削除して既存のセル内に当該項目を表示することが可能となる。
【００７０】
図６の（ｂ）は、セル内の項目を新たなセルに分割した分割例を示す。
図６の（ｂ−１）は、４つのセルのうち、矢印で示すセルの分割指示をした状態を示す。
【００７１】
図６の（ｂ−２）は、分割指示されたセルを削除した状態を示す。
図６の（ｂ−３）は、セルを追加して当該セルに分割指定された項目を設定して表示した状態を示す。
【００７２】
以上のように、分割セルを指定すると、自動的に指定されたセル内の項目が新たに作成したセルにそれぞれ設定して表示することが可能となる。
【００７３】
図６の（ｃ）は、セル内の項目を既存のセルに統合した統合例を示す。
図６の（ｃ−１）は、４つのセルのうち、矢印で示すセルの統合指示をした状態を示す。
【００７４】
図６の（ｃ−２）は、統合指示されたセルを削除した状態を示す。
図６の（ｃ−３）は、削除したセル内の項目を指定されたセルに統合して表示した状態を示す。
【００７５】
以上のように、統合セルと統合先のセルを指定すると、自動的に指定されたセル内の項目が削除され、指定されたセルに統合して表示することが可能となる。
【００７６】
（付記１）
表データを表示する表示制御プログラムを記録したコンピュータ読取可能な記録媒体において、
表の１つあるいは複数の桁のデータをいずれの桁に表示するかを設定する複数表示情報テーブルを作成する手段と、
上記表の桁のデータを取り出して上記複数表示情報テーブルを参照して設定されている桁に表示する手段と
して機能させるプログラムを記録したコンピュータ読取可能な記録媒体。
【００７７】
（付記２）
上記表の行のデータをいずれの行に表示するかを設定するソートインデックスを作成する手段と、
上記表の行のデータを取り出して上記ソートインデックスを参照して設定されている行に表示する手段と
して機能させるプログラムを記録したコンピュータ読取可能な付記１記載の記憶媒体。
【００７８】
（付記３）
上記表示された画面上で任意の項目が選択されたときに、当該選択されたデータの項目をもとに上記表の該当項目のデータをソートする手段と、
上記ソートした後のデータの順番に上記ソートインデックスに設定する手段と、
上記設定した後のソートインデックスをもとに表示する手段と
して機能させるプログラムを記録したコンピュータ読取可能な付記２記載の記録媒体。
【００７９】
（付記４）
画面上に表示した項目を指定した分割の指定に対応して、上記複数表示情報テーブルから当該指定された項目に対応する桁中の指定された桁情報を削除および当該削除した桁情報を指定された位置に新たに作成して設定する手段として機能させるプログラムを記録したコンピュータ読取可能な付記１記載の記録媒体。
【００８０】
（付記５）
画面上に表示した項目を指定した統合の指定に対応して、上記複数表示情報テーブルから当該指定された項目に対応する桁中の指定された桁情報を削除および当該削除した桁情報を指定された桁位置に追加して設定する手段として機能させるプログラムを記録したコンピュータ読取可能な付記１あるいは付記５記載の記録媒体。
【００８１】
（付記６）
表データを表示する表示制御プログラムにおいて、
表の１つあるいは複数の桁のデータをいずれの桁に表示するかを設定する複数表示情報テーブルを作成する手段と、
上記表の桁のデータを取り出して上記複数表示情報テーブルを参照して設定されている桁に表示する手段と
してコンピュータに機能させるための表示制御プログラム。
【００８２】
（付記７）
上記表の行のデータをいずれの行に表示するかを設定するソートインデックスを作成する手と、
上記表の行のデータを取り出して上記ソートインデックスを参照して設定されている行に表示する手段と
してコンピュータに機能させるための付記６記載の表示制御プログラム。
【産業上の利用可能性】
【００８３】
本発明は、複数表示情報テーブル１４およびソートインデックス１５を設けて、元データ１２を任意の位置に表示および任意項目でソートした結果などを表示し、画面上で同時に見ることができるように複数項目を任意セルに表示すると共に任意項目のソート結果を表示したり、セル内の項目を分割して他のセルや新たなセルに表示したり、セルを削除して当該セル内の項目を他の既存のセル内に統合したりする表示制御プログラムおよび記録媒体に関するものである。
【図面の簡単な説明】
【００８４】
【図１】本発明のシステム構成図である。
【図２】本発明の動作説明フローチャート（設定）である。
【図３】本発明の動作説明フローチャート（表示）である。
【図４】本発明の表示例である。
【図５】本発明の動作説明図（ソート）である。
【図６】本発明の動作説明図（分割／統合）である。
【符号の説明】
【００８５】
１：処理装置
２：テーブル作成手段
３：表示手段
４：ソート手段
５：分割手段
６：統合手段
１１：メモリ
１２：元データ
１３：ヘッダ情報
１４：複数表示情報テーブル
１５：ソートインデックス
１６：表示バッファ
【図１】
2007058867.tif 000003
【図２】
2007058867.tif 000004
【図３】
2007058867.tif 000005
【図４】
2007058867.tif 000006
【図５】
2007058867.tif 000007
【図６】
2007058867.tif 000008